(57)【特許請求の範囲】
【請求項１】
ユーザが当該情報処理装置を利用する際の、ローカル認証方式及びリモート認証方式を含む２種類以上の認証方式と、当該認証方式毎に用いられるユーザ情報とを関連付けたエントリに格納して管理し、
前記２種類以上の認証方式のうち、当該情報処理装置を利用するユーザの認証を行う認証方式として、リモート認証方式を予め設定し、
１のユーザ情報が入力され、当該入力されたユーザ情報と、当該ユーザに係るエントリに格納されているローカル認証方式に関連付けされたユーザ情報とが合致した場合、当該入力されたユーザ情報と同一のエントリ内に格納され前記設定されているリモート認証方式に関連付けされたユーザ情報を用いて、前記設定されているリモート認証方式による認証をリモート認証サーバに行わせること、
を特徴とする情報処理装置。
【請求項２】
ユーザが当該情報処理装置を利用する際の、２種類以上の認証方式と、当該認証方式毎に用いられるユーザ情報とを指定するための指定画面を提供する指定画面提供手段と、
当該情報処理装置を利用するユーザの認証情報が格納されたエントリとして、前記指定画面上で指定された２種類以上の認証方式と、当該認証方式毎に用いられるユーザ情報とが格納されたエントリを生成するエントリ生成手段を備えることを特徴とする請求項１記載の情報処理装置。
【請求項３】
ユーザが当該情報処理装置を利用する際の、認証方式と、当該認証方式に用いられるユーザ情報とが格納された２個以上のエントリを指定するための指定画面を提供する指定画面提供手段と、
前記指定画面上で指定された２個以上のエントリを併合して、当該情報処理装置を利用するユーザの２種類以上の認証方式と、当該認証方式毎に用いられるユーザ情報とが格納されたエントリを生成するエントリ生成手段を備えることを特徴とする請求項１記載の情報処理装置。
【請求項４】
ユーザが当該情報処理装置を利用する際の、２種類以上の認証方式と、当該認証方式毎に用いられるユーザ情報とを格納するためのエントリを自動生成する旨の設定を登録するための登録画面を提供する登録画面提供手段と、
前記登録画面上で登録された設定に基づいて、当該情報処理装置を利用するユーザの２種類以上の認証方式と、当該認証方式毎に用いられるユーザ情報とを格納するためのエントリを自動生成するエントリ生成手段を備えることを特徴とする請求項１記載の情報処理装置。
【請求項５】
前記エントリ生成手段によって生成されるエントリには、前記ユーザの課金情報が格納されることを特徴とする請求項２乃至４のいずれか１項に記載の情報処理装置。
【請求項６】
前記エントリ生成手段によって生成されるエントリには、前記ユーザの課金額として、前記指定画面上で指定された２個以上のエントリの各エントリに格納された課金額を合計したものが格納されることを特徴とする請求項５に記載の情報処理装置。
【請求項７】
前記エントリ生成手段によって生成されるエントリには、前記ユーザの利用制限情報が格納されることを特徴とする請求項２乃至４のいずれか１項に記載の情報処理装置。
【請求項８】
前記エントリ生成手段によって生成されるエントリには、前記ユーザの利用制限情報として、前記指定画面上で指定された２個以上のエントリのいずれか１個以上のエントリに格納された利用制限情報を踏襲したものが格納されることを特徴とする請求項３に記載の情報処理装置。
【請求項９】
前記エントリ生成手段によって生成されるエントリには、リモート認証方式に関連付けされたユーザ情報を使用して実行された前記ユーザの認証処理の認証結果が格納されることを特徴とする請求項２乃至４のいずれか１項に記載の情報処理装置。
【請求項１０】
リモート認証方式による前記ユーザの認証処理が実行不可能な場合、リモート認証方式に関連付けされたユーザ情報を使用して実行された当該ユーザの認証処理の前記認証結果をもとにして、当該ユーザの認証を許可するかどうかを判断することを特徴とする請求項９に記載の情報処理装置。
【請求項１１】
当該情報処理装置は、画像形成装置であることを特徴とする請求項１乃至１０のいずれか１項に記載の情報処理装置。
【請求項１２】
情報処理装置によって実行される情報処理方法であって、
情報処理装置が、
ユーザが当該情報処理装置を利用する際の、ローカル認証方式及びリモート認証方式を含む２種類以上の認証方式と、当該認証方式毎に用いられるユーザ情報とを関連付けたエントリに格納して管理し、
前記２種類以上の認証方式のうち、当該情報処理装置を利用するユーザの認証を行う認証方式として、リモート認証方式を予め設定し、
１のユーザ情報が入力され、当該入力されたユーザ情報と、当該ユーザに係るエントリに格納されているローカル認証方式に関連付けされたユーザ情報とが合致した場合、当該入力されたユーザ情報と同一のエントリ内に格納され前記設定されているリモート認証方式に関連付けされたユーザ情報を用いて、前記設定されているリモート認証方式による認証をリモート認証サーバに行わせること、
を特徴とする情報処理方法。
【請求項１３】
情報処理装置によって実行される情報処理方法であって、
情報処理装置が、
ユーザが当該情報処理装置を利用する際の、２種類以上の認証方式と、当該認証方式毎に用いられるユーザ情報とを指定するための指定画面を提供する指定画面提供段階と、
当該情報処理装置を利用するユーザの認証情報が格納されたエントリとして、前記指定画面上で指定された２種類以上の認証方式と、当該認証方式毎に用いられるユーザ情報とが格納されたエントリを生成するエントリ生成段階を備えることを特徴とする請求項１２記載の情報処理方法。
【請求項１４】
情報処理装置によって実行される情報処理方法であって、
情報処理装置が、
ユーザが当該情報処理装置を利用する際の、認証方式と、当該認証方式に用いられるユーザ情報とが格納された２個以上のエントリを指定するための指定画面を提供する指定画面提供段階と、
前記指定画面上で指定された２個以上のエントリを併合して、当該情報処理装置を利用するユーザの２種類以上の認証方式と、当該認証方式毎に用いられるユーザ情報とが格納されたエントリを生成するエントリ生成段階を備えることを特徴とする請求項１２記載の情報処理方法。
【請求項１５】
情報処理装置によって実行される情報処理方法であって、
ユーザが当該情報処理装置を利用する際の、２種類以上の認証方式と、当該認証方式毎に用いられるユーザ情報とを格納するためのエントリを自動生成する旨の設定を登録するための登録画面を提供する登録画面提供段階と、
前記登録画面上で登録された設定に基づいて、当該情報処理装置を利用するユーザの２種類以上の認証方式と、当該認証方式毎に用いられるユーザ情報とを格納するためのエントリを自動生成するエントリ生成段階を備えることを特徴とする請求項１２記載の情報処理方法。
【請求項１６】
当該情報処理装置は、画像形成装置であることを特徴とする請求項１２乃至１５のいずれか１項に記載の情報処理方法。
【請求項１７】
請求項１２乃至１６のいずれか１項に記載の情報処理方法をコンピュータに実行させる情報処理プログラム。
【請求項１８】
請求項１２乃至１６のいずれか１項に記載の情報処理方法をコンピュータに実行させる情報処理プログラムが記録されたコンピュータ読取可能な記録媒体。
【請求項１９】
請求項１記載の情報処理装置の端末となる端末装置であって、
ユーザが当該情報処理装置を利用する際の、２種類以上の認証方式と、当該認証方式毎に用いられるユーザ情報とを指定するための指定画面を提供する指定画面提供手段を備え、
当該情報処理装置を利用するユーザの認証情報が格納されたエントリとして、前記指定画面上で指定された２種類以上の認証方式と、当該認証方式毎に用いられるユーザ情報とが格納されたエントリを前記情報処理装置内に生成させることを特徴とする端末装置。
【請求項２０】
請求項１記載の情報処理装置の端末となる端末装置であって、
ユーザが当該情報処理装置を利用する際の、認証方式と、当該認証方式に用いられるユーザ情報とが格納された２個以上のエントリを指定するための指定画面を提供する指定画面提供手段を備え、
前記指定画面上で指定された２個以上のエントリを併合させて、前記情報処理装置を利用するユーザの２種類以上の認証方式と、当該認証方式毎に用いられるユーザ情報とが格納されたエントリを前記情報処理装置内に生成させることを特徴とする端末装置。
【請求項２１】
請求項１記載の情報処理装置の端末となる端末装置であって、
ユーザが当該情報処理装置を利用する際の、２種類以上の認証方式と、当該認証方式毎に用いられるユーザ情報とを格納するためのエントリを自動生成する旨の設定を前記情報処理装置内に登録するための登録画面を提供する登録画面提供手段を備え、
前記登録画面上で登録された設定に基づいて、前記情報処理装置を利用するユーザの２種類以上の認証方式と、当該認証方式毎に用いられるユーザ情報とを格納するためのエントリを前記情報処理装置内にて自動生成させることを特徴とする端末装置。
【請求項２２】
請求項１記載の情報処理装置の端末となる端末装置によって実行される情報処理方法であって、
端末装置が、
ユーザが当該情報処理装置を利用する際の、２種類以上の認証方式と、当該認証方式毎に用いられるユーザ情報とを指定するための指定画面を提供する指定画面提供段階を備え、
前記情報処理装置を利用するユーザの認証情報が格納されたエントリとして、前記指定画面上で指定された２種類以上の認証方式と、当該認証方式毎に用いられるユーザ情報とが格納されたエントリを前記情報処理装置内に生成させることを特徴とする情報処理方法。
【請求項２３】
請求項１記載の情報処理装置の端末となる端末装置によって実行される情報処理方法であって、
端末装置が、
ユーザが当該情報処理装置を利用する際の、認証方式と、当該認証方式に用いられるユーザ情報とが格納された２個以上のエントリを指定するための指定画面を提供する指定画面提供段階を備え、
前記指定画面上で指定された２個以上のエントリを併合させて、前記情報処理装置を利用するユーザの２種類以上の認証方式と、当該認証方式毎に用いられるユーザ情報とが格納されたエントリを前記情報処理装置内に生成させることを特徴とする情報処理方法。
【請求項２４】
請求項１記載の情報処理装置の端末となる端末装置によって実行される情報処理方法であって、
端末装置が、
ユーザが当該情報処理装置を利用する際の、２種類以上の認証方式と、当該認証方式毎に用いられるユーザ情報とを格納するためのエントリを自動生成する旨の設定を前記情報処理装置内に登録するための登録画面を提供する登録画面提供段階を備え、
前記登録画面上で登録された設定に基づいて、前記情報処理装置を利用するユーザの２種類以上の認証方式と、当該認証方式毎に用いられるユーザ情報とを格納するためのエントリを前記情報処理装置内にて自動生成させることを特徴とする情報処理方法。
【請求項２５】
請求項２２乃至２４のいずれか１項に記載の情報処理方法をコンピュータに実行させる情報処理プログラム。
【請求項２６】
請求項２２乃至２４のいずれか１項に記載の情報処理方法をコンピュータに実行させる情報処理プログラムが記録されたコンピュータ読取可能な記録媒体。
【発明の詳細な説明】
【技術分野】
【０００１】
本発明は、主たる機能として情報処理機能を備える情報機器／従たる機能として情報処理機能を備える電気機器等の情報処理装置と、パーソナルコンピュータ等の端末装置と、情報処理方法と、情報処理プログラムと、ＣＤ−ＲＯＭ等の記録媒体とに関する。主たる機能として情報処理機能を備える情報機器の具体例としては、パーソナルコンピュータが挙げられる。従たる機能として情報処理機能を備える電気機器の具体例としては、近年、情報処理機能の高度化が目覚しいコピー／プリンタ／スキャナ／ファクシミリ／複合機／融合機等の画像形成装置が挙げられる。
【背景技術】
【０００２】
近年、コピーとプリンタとスキャナとファクシミリとしての機能を備える複合機や融合機が市販されるようになった。複合機や融合機は、撮像部や印刷部や通信部や操作表示部等のハードウェアを備えると共に、コピーとプリンタとスキャナとファクシミリに対応する４種類のソフトウェアを備え、これらのソフトウェアが切り替わることにより、コピーやプリンタやスキャナやファクシミリとして機能する。複合機や融合機は、コピーやプリンタとして機能する場合、画像を印刷用紙等に印刷することになり、コピーやスキャナとして機能する場合、画像を読取原稿等から読み取ることになり、ファクシミリとして機能する場合、画像を電話回線等を介して他の機器と授受することになる。
【特許文献１】特開２００２−８４３８３号公報
【発明の開示】
【発明が解決しようとする課題】
【０００３】
複合機や融合機の機能の中には「ユーザ情報」が必要となる機能が存在する。例えば、複合機や融合機がスキャナやファクシミリとして機能する場合、メールアドレスやファクシミリ電話番号等の「ユーザ情報」が必要となる。複合機や融合機には、これらのユーザ情報を管理する機能が用意されているのが通例であるところ、複合機や融合機にさらに、これらのユーザ情報を管理する「ユーザ情報管理サーバ」からこれらのユーザ情報を取得する機能が用意されていると便利である。このような「ユーザ情報管理サーバ」の具体例としては、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）サーバが挙げられる。
【０００４】
ＬＤＡＰでは、人間や組織は「オブジェクト」として観念される。個々のオブジェクトの情報は、個々のオブジェクトの「エントリ」に格納されて管理される。エントリには、オブジェクトの種類に関する情報である「オブジェクトクラス」や、オブジェクトの性質に関する情報である「属性」等が格納される。属性は、ｃ（国）ｏ（組織）ｏｕ（組織内単位）ｃｎ（姓名）ｓｎ（姓）ｇｉｖｅｎＮａｍｅ（名）ｍａｉｌ（メールアドレス）ｆａｃｓｉｍｉｌｅＴｅｌｅｐｈｏｎｅＮｕｍｂｅｒ（ファクシミリ電話番号）等の「属性型」と、ｃ：日本，ｏ：リコー，ｏｕ：研究開発部，ｃｎ：鈴木太郎，ｓｎ：鈴木，ｇｉｖｅｎＮａｍｅ：太郎等の「属性値」により構成される。エントリはオブジェクトクラスにより階層化されているため、各エントリの識別名（ＤＮ）は各エントリの１属性（識別属性）に由来する各エントリの相対識別名（ＲＤＮ）を階層順に並べて構成される。
【０００５】
ＬＤＡＰクライアントとＬＤＡＰサーバの間では、種々の要求と応答が繰り返される。ＬＤＡＰでは、結合（ｂｉｎｄ）や結合解放（ｕｎｂｉｎｄ）等の認証系操作、検索（ｓｅａｒｃｈ）や比較（ｃｏｍｐａｒｅ）等の問合せ系操作、追加（ａｄｄ）や削除（ｄｅｌｅｔｅ）や変更（ｍｏｄｉｆｙ）等の更新系操作が用意されている。例えば、ＬＤＡＰクライアントからＬＤＡＰサーバに検索操作が要求（検索要求）されると、これに応じてＬＤＡＰサーバからＬＤＡＰクライアントに検索結果が応答（検索応答）される。
【０００６】
さて、画像形成装置の情報処理機能の高度化に伴い、画像形成装置を利用するユーザの認証処理を実施するような画像形成装置が増えている。画像形成装置を利用するユーザの認証処理の実施形態は、画像形成装置を利用するユーザの認証処理を当該画像形成装置が実行する「ローカル認証」と、画像形成装置を利用するユーザの認証処理を当該画像形成装置がＮＴサーバやＬＤＡＰサーバ等の「認証サーバ」に実行させるＮＴ認証やＬＤＡＰ認証等の「リモート認証」とに分類することができる。
【０００７】
ところで、１台の画像形成装置がローカル認証とＮＴ認証とＬＤＡＰ認証という３種類の認証方式をサポートする場合、当該画像形成装置を利用するユーザの認証情報にはローカル認証情報とＮＴ認証情報とＬＤＡＰ認証情報という３種類の認証情報が存在することになる。この場合、同一のユーザの認証情報同士を関連付けておかないと、同一のユーザのユーザ情報が「ローカル認証情報に関連する情報」と「ＮＴ認証情報に関連する情報」と「ＬＤＡＰ認証情報に関連する情報」の３系統のユーザ情報に分散されてしまうことになる。こうなると例えば、同一のユーザの課金情報があちこちに分散されてしまったり、同一のユーザの利用制限情報がばらばらに設定されてしまったりして不都合である。そのため、同一のユーザの認証情報同士を関連付ける手法が存在すれば好都合である。
【０００８】
したがって、本発明は、画像形成装置等の情報処理装置を利用するユーザの２種類以上の認証情報同士を関連付ける手法を提案することを課題とする。
【課題を解決するための手段】
【０００９】
本発明（情報処理装置）は、当該情報処理装置を利用するユーザの２種類以上の認証情報を指定するための指定画面を提供する指定画面提供手段と、当該情報処理装置を利用するユーザの認証情報が格納されたエントリとして、前記指定画面上で指定された２種類以上の認証情報が格納されたエントリを生成するエントリ生成手段を備える。
【００１０】
また本発明（情報処理装置）は、当該情報処理装置を利用するユーザの認証情報が格納された２個以上のエントリを指定するための指定画面を提供する指定画面提供手段と、前記指定画面上で指定された２個以上のエントリを併合して、当該情報処理装置を利用するユーザの２種類以上の認証情報が格納されたエントリを生成するエントリ生成手段を備える。
【００１１】
また本発明（情報処理装置）は、当該情報処理装置を利用するユーザの２種類以上の認証情報を格納するためのエントリを自動生成する旨の設定を登録するための登録画面を提供する登録画面提供手段と、前記登録画面上で登録された設定に基づいて、当該情報処理装置を利用するユーザの２種類以上の認証情報を格納するためのエントリを自動生成するエントリ生成手段を備える。
【００１２】
また本発明（情報処理装置）は、前記発明（情報処理装置）において、前記エントリ生成手段によって生成されるエントリには、前記ユーザの課金情報が格納される。
【００１３】
また本発明（情報処理装置）は、前記発明（情報処理装置）において、前記エントリ生成手段によって生成されるエントリには、前記ユーザの課金額として、前記指定画面上で指定された２個以上のエントリの各エントリに格納された課金額を合計したものが格納される。
【００１４】
また本発明（情報処理装置）は、前記記載の発明（情報処理装置）において、前記エントリ生成手段によって生成されるエントリには、前記ユーザの利用制限情報が格納される。
【００１５】
また本発明（情報処理装置）は、前記発明（情報処理装置）において、前記エントリ生成手段によって生成されるエントリには、前記ユーザの利用制限情報として、前記指定画面上で指定された２個以上のエントリのいずれか１個以上のエントリに格納された利用制限情報を踏襲したものが格納される。
【００１６】
また本発明（情報処理装置）は、前記発明（情報処理装置）において、前記エントリ生成手段によって生成されるエントリには、前記認証情報を使用して実行された前記ユーザの認証処理の認証結果が格納される。
【００１７】
また本発明（情報処理装置）は、前記発明（情報処理装置）において、前記認証情報を使用して実行されるはずの前記ユーザの認証処理が実行不可能な場合、当該認証情報を使用して実行された当該ユーザの認証処理の前記認証結果をもとにして、当該ユーザの認証を許可するかどうかを判断する。
【００１８】
また本発明（情報処理装置）は、前記発明（情報処理装置）において、当該情報処理装置を利用するユーザが当該情報処理装置にログインするときには、当該ユーザに係るエントリに格納されている２種類以上の認証情報の内のどの認証情報が当該ユーザの認証処理で使用される場合であっても、当該ユーザに係るエントリに格納されている２種類以上の認証情報の内の特定の認証情報を当該情報処理装置に入力すべきようになっている。
【００１９】
また本発明（情報処理装置）は、前記発明（情報処理装置）において、前記エントリ生成手段により生成されるエントリには、前記ユーザの２種類以上の認証情報として少なくとも、前記ユーザの認証処理を当該情報処理装置が実行する場合に使用される認証情報と、前記ユーザの認証処理を当該情報処理装置がサーバに実行させる場合に使用される認証情報とが格納される。
【００２０】
また本発明（情報処理装置）は、前記発明（情報処理装置）において、前記エントリ生成手段により生成されるエントリには、前記ユーザの２種類以上の認証情報として少なくとも、前記ユーザの認証処理を当該情報処理装置がサーバに実行させる場合に使用される認証情報と、前記ユーザの認証処理を当該情報処理装置が前記サーバとは異なるサーバに実行させる場合に使用される認証情報とが格納される。
【００２１】
また本発明（情報処理装置）は、前記発明（情報処理装置）において、当該情報処理装置は、画像形成装置である。
【００２２】
また本発明（情報処理方法）は、情報処理装置によって実行される情報処理方法であって、当該情報処理装置を利用するユーザの２種類以上の認証情報を指定するための指定画面を提供する指定画面提供段階と、当該情報処理装置を利用するユーザの認証情報が格納されたエントリとして、前記指定画面上で指定された２種類以上の認証情報が格納されたエントリを生成するエントリ生成段階を備える。
【００２３】
また本発明（情報処理方法）は、情報処理装置によって実行される情報処理方法であって、当該情報処理装置を利用するユーザの認証情報が格納された２個以上のエントリを指定するための指定画面を提供する指定画面提供段階と、前記指定画面上で指定された２個以上のエントリを併合して、当該情報処理装置を利用するユーザの２種類以上の認証情報が格納されたエントリを生成するエントリ生成段階を備える。
【００２４】
また本発明（情報処理方法）は、情報処理装置によって実行される情報処理方法であって、当該情報処理装置を利用するユーザの２種類以上の認証情報を格納するためのエントリを自動生成する旨の設定を登録するための登録画面を提供する登録画面提供段階と、前記登録画面上で登録された設定に基づいて、当該情報処理装置を利用するユーザの２種類以上の認証情報を格納するためのエントリを自動生成するエントリ生成段階を備える。
【００２５】
また本発明（情報処理方法）は、前記発明（情報処理方法）において、当該情報処理装置を利用するユーザが当該情報処理装置にログインするときには、当該ユーザに係るエントリに格納されている２種類以上の認証情報の内のどの認証情報が当該ユーザの認証処理で使用される場合であっても、当該ユーザに係るエントリに格納されている２種類以上の認証情報の内の特定の認証情報を当該情報処理装置に入力すべきようになっている。
【００２６】
また本発明（情報処理方法）は、前記発明（情報処理方法）において、当該情報処理装置は、画像形成装置である。
【００２７】
また本発明（情報処理プログラム）は、前記情報処理方法をコンピュータに実行させる情報処理プログラムである。
【００２８】
また本発明（記録媒体）は、前記情報処理方法をコンピュータに実行させる情報処理プログラムが記録されたコンピュータ読取可能な記録媒体である。
【００２９】
また本発明（端末装置）は、情報処理装置の端末となる端末装置であって、前記情報処理装置を利用するユーザの２種類以上の認証情報を指定するための指定画面を提供する指定画面提供手段を備え、前記情報処理装置を利用するユーザの認証情報が格納されたエントリとして、前記指定画面上で指定された２種類以上の認証情報が格納されたエントリを前記情報処理装置内に生成させる。
【００３０】
また本発明（端末装置）は、情報処理装置の端末となる端末装置であって、前記情報処理装置を利用するユーザの認証情報が格納された２個以上のエントリを指定するための指定画面を提供する指定画面提供手段を備え、前記指定画面上で指定された２個以上のエントリを併合させて、前記情報処理装置を利用するユーザの２種類以上の認証情報が格納されたエントリを前記情報処理装置内に生成させる。
【００３１】
また本発明（端末装置）は、情報処理装置の端末となる端末装置であって、前記情報処理装置を利用するユーザの２種類以上の認証情報を格納するためのエントリを自動生成する旨の設定を前記情報処理装置内に登録するための登録画面を提供する登録画面提供手段を備え、前記登録画面上で登録された設定に基づいて、前記情報処理装置を利用するユーザの２種類以上の認証情報を格納するためのエントリを前記情報処理装置内にて自動生成させる。
【００３２】
また本発明（端末装置）は、前記発明（端末装置）において、前記情報処理装置は、画像形成装置である。
【００３３】
また本発明（情報処理方法）は、情報処理装置の端末となる端末装置によって実行される情報処理方法であって、前記情報処理装置を利用するユーザの２種類以上の認証情報を指定するための指定画面を提供する指定画面提供段階を備え、前記情報処理装置を利用するユーザの認証情報が格納されたエントリとして、前記指定画面上で指定された２種類以上の認証情報が格納されたエントリを前記情報処理装置内に生成させる。
【００３４】
また本発明（情報処理方法）は、情報処理装置の端末となる端末装置によって実行される情報処理方法であって、前記情報処理装置を利用するユーザの認証情報が格納された２個以上のエントリを指定するための指定画面を提供する指定画面提供段階を備え、前記指定画面上で指定された２個以上のエントリを併合させて、前記情報処理装置を利用するユーザの２種類以上の認証情報が格納されたエントリを前記情報処理装置内に生成させる。
【００３５】
また本発明（情報処理方法）は、情報処理装置の端末となる端末装置によって実行される情報処理方法であって、前記情報処理装置を利用するユーザの２種類以上の認証情報を格納するためのエントリを自動生成する旨の設定を前記情報処理装置内に登録するための登録画面を提供する登録画面提供段階を備え、前記登録画面上で登録された設定に基づいて、前記情報処理装置を利用するユーザの２種類以上の認証情報を格納するためのエントリを前記情報処理装置内にて自動生成させる。
【００３６】
また本発明（情報処理方法）は、前記発明（情報処理方法）において、前記情報処理装置は、画像形成装置である。
【００３７】
また本発明（情報処理プログラム）は、前記情報処理方法をコンピュータに実行させる情報処理プログラムである。
【００３８】
また本発明（記録媒体）は、前記情報処理方法をコンピュータに実行させる情報処理プログラムが記録されたコンピュータ読取可能な記録媒体である。
【００３９】
本発明（情報処理装置）では、同一のユーザの２種類以上の認証情報が格納されたエントリを生成することをもって、同一のユーザの２種類以上の認証情報同士を関連付けることができる。
【００４０】
また本発明（情報処理装置）では、同一のユーザの認証情報が格納された２個以上のエントリを併合し、同一のユーザの２種類以上の認証情報が格納されたエントリを生成することをもって、同一のユーザの２種類以上の認証情報同士を関連付けることができる。
【００４１】
また本発明（情報処理装置）では、同一のユーザの２種類以上の認証情報を格納するための自動生成エントリに同一のユーザの２種類以上の認証情報を格納することをもって、同一のユーザの２種類以上の認証情報同士を関連付けることができる。
【００４２】
また本発明（情報処理装置）では、同一のユーザの課金情報の管理先を同一のエントリにすることができる。
【００４３】
また本発明（情報処理装置）では、併合後の課金額は併合前の課金額を合計したものとなる。
【００４４】
また本発明（情報処理装置）では、同一のユーザの利用制限情報の管理先を同一のエントリにすることができる。
【００４５】
また本発明（情報処理装置）では、併合後の利用制限情報は併合前の利用制限情報を踏襲したものとなる。
【００４６】
また本発明（情報処理装置）は、ある認証情報を使用して実行されるはずのあるユーザの認証処理が機器異常やネットワーク異常等によって実行不可能な場合にも、その認証情報を使用して実行されたそのユーザの認証処理の認証結果をもとにして、そのユーザの認証を許可することができる。
【００４７】
また本発明（情報処理装置）では、当該情報処理装置を利用するユーザが当該情報処理装置にログインするときに当該情報処理装置に入力すべき認証情報が「特定の認証情報」に限定されるため、当該情報処理装置を利用するユーザにとっては認証情報の管理負担が軽減されることになる。
【００４８】
また本発明（情報処理方法）では、同一のユーザの２種類以上の認証情報が格納されたエントリを生成することをもって、同一のユーザの２種類以上の認証情報同士を関連付けることができる。
【００４９】
また本発明（情報処理方法）では、同一のユーザの認証情報が格納された２個以上のエントリを併合し、同一のユーザの２種類以上の認証情報が格納されたエントリを生成することをもって、同一のユーザの２種類以上の認証情報同士を関連付けることができる。
【００５０】
また本発明（情報処理方法）では、同一のユーザの２種類以上の認証情報を格納するための自動生成エントリに同一のユーザの２種類以上の認証情報を格納することをもって、同一のユーザの２種類以上の認証情報同士を関連付けることができる。
【００５１】
また本発明（情報処理方法）では、当該情報処理装置を利用するユーザが当該情報処理装置にログインするときに当該情報処理装置に入力すべき認証情報が「特定の認証情報」に限定されるため、当該情報処理装置を利用するユーザにとっては認証情報の管理負担が軽減されることになる。
【００５２】
また本発明（端末装置）では、同一のユーザの２種類以上の認証情報が格納されたエントリを生成することをもって、同一のユーザの２種類以上の認証情報同士を関連付けることができる。
【００５３】
また本発明（端末装置）では、同一のユーザの認証情報が格納された２個以上のエントリを併合して、同一のユーザの２種類以上の認証情報が格納されたエントリを生成することをもって、同一のユーザの２種類以上の認証情報同士を関連付けることができる。
【００５４】
また本発明（端末装置）では、同一のユーザの２種類以上の認証情報を格納するための自動生成エントリに同一のユーザの２種類以上の認証情報を格納することをもって、同一のユーザの２種類以上の認証情報同士を関連付けることができる。
【００５５】
また本発明（情報処理方法）では、同一のユーザの２種類以上の認証情報が格納されたエントリを生成することをもって、同一のユーザの２種類以上の認証情報同士を関連付けることができる。
【００５６】
また本発明（情報処理方法）では、同一のユーザの認証情報が格納された２個以上のエントリを併合し、同一のユーザの２種類以上の認証情報が格納されたエントリを生成することをもって、同一のユーザの２種類以上の認証情報同士を関連付けることができる。
【００５７】
また本発明（情報処理方法）では、同一のユーザの２種類以上の認証情報を格納するための自動生成エントリに同一のユーザの２種類以上の認証情報を格納することをもって、同一のユーザの２種類以上の認証情報同士を関連付けることができる。
【発明の効果】
【００５８】
このように、本発明は、画像形成装置等の情報処理装置を利用するユーザの２種類以上の認証情報同士を関連付ける手法を提案するものである。
【発明を実施するための最良の形態】
【００５９】
図３２は、本発明の実施例に該当する情報処理装置１１を表す。図３２の情報処理装置１１は、種々のハードウェア２１と、種々のソフトウェア２２と、起動部２３により構成される。
【００６０】
情報処理装置１１のハードウェア２１としては、ＣＰＵやＲＯＭやＲＡＭやＨＤＤ等により構成される情報処理部、ＭＯＤＥＭやＮＩＣ等により構成される通信部、キーボードやマウスやディスプレイ等により構成される操作表示部が存在する。
【００６１】
情報処理装置１１のソフトウェア２２としては、種々のアプリケーション３１、種々のプラットフォーム３２が存在する。プラットフォーム３２としては、情報処理部に関する制御を行うモジュール、通信部に関する仲介を行うモジュール、操作表示部に関する制御を行うモジュール、ユーザ情報の管理に関する制御を行うモジュール、システムの管理に関する制御を行うモジュールが存在する。これらのプログラムは、ＵＮＩＸ（登録商標）等のＯＳ（オペレーティングシステム）によりプロセス単位で並列的に実行される。
【００６２】
起動部２３は、情報処理装置１１の電源投入時に最初に実行される。これにより、ＵＮＩＸ（登録商標）等のＯＳが起動され、アプリケーション３１やプラットフォーム３２が起動される。これらのプログラムは、ＨＤＤやメモリカードに蓄積されており、ＨＤＤやメモリカードから再生されて、ＲＡＭに起動されることになる。
【００６３】
図３２の情報処理装置１１の例としては、主たる機能として情報処理機能を備える情報機器や、従たる機能として情報処理機能を備える電気機器等が挙げられる。主たる機能として情報処理機能を備える情報機器の具体例としては、パーソナルコンピュータが挙げられる。従たる機能として情報処理機能を備える電気機器の具体例としては、近年、情報処理機能の高度化が目覚しいコピー／プリンタ／スキャナ／ファクシミリ／複合機／融合機等の画像形成装置が挙げられる。以下、情報処理装置１１の具体例である融合機１０１について説明する。
【００６４】
図１は、本発明の実施例に該当する融合機１０１を表す。図１の融合機１０１は、種々のハードウェア１１１と、種々のソフトウェア１１２と、融合機起動部１１３により構成される。図１の融合機１０１は、コピーやプリンタやスキャナやファクシミリとして機能することができる。
【００６５】
融合機１０１のハードウェア１１１としては、撮像部１２１と、印刷部１２２と、その他のハードウェア１２３が存在する。
【００６６】
撮像部１２１は、原稿から画像（画像データ）を読み取るためのハードウェアであり、コピーやスキャナやファクシミリとして機能する際に使用される。撮像部１２１は、白黒画像用の物でもカラー画像用の物でもよい。撮像部１２１は、原稿に関する機構として、原稿セット部等を備える。
【００６７】
印刷部１２２は、画像（画像データ）を印刷用紙等の印刷媒体に印刷するためのハードウェアであり、コピーやプリンタやファクシミリとして機能する際に使用される。印刷部１２２は、白黒画像用の物でもカラー画像用の物でもよい。印刷部１２２は、ここでは電子写真方式を採用しており、感光体、帯電機、露光機、現像機、転写機、定着機等を備える。印刷部１２２は、印刷用紙等に関する機構として、給紙部、排紙部、印刷用紙等搬送機構等を備える。
【００６８】
その他のハードウェア１２３については、図２において説明する。
【００６９】
融合機１０１のソフトウェア１１２としては、種々のアプリケーション１３１と、種々のプラットフォーム１３２が存在する。これらのプログラムは、ＵＮＩＸ（登録商標）等のＯＳ（オペレーティングシステム）によりプロセス単位で並列的に実行される。
【００７０】
アプリケーション１３１は、コピーやプリンタやスキャナやファクシミリ等の機能に固有な情報処理を実行するためのソフトウェアである。アプリケーション１３１としては、コピー用のアプリケーションであるコピーアプリ１４１と、プリンタ用のアプリケーションであるプリンタアプリ１４２と、スキャナ用のアプリケーションであるスキャナアプリ１４３と、ファクシミリ用のアプリケーションであるファクシミリアプリ１４４と、ネットワークファイル用のアプリケーションであるネットワークファイルアプリ１４５が存在する。ネットワークファイルアプリ１４５は、ＨＴＭＬ文書等の閲覧用のＷｅｂブラウザや、ＨＴＭＬ文書等の配信用のＷｅｂサーバソフトにより構成される。
【００７１】
プラットフォーム１３２は、アプリケーション１３１からの処理要求に関する情報処理を実行するためのソフトウェアである。アプリケーション１３１からの処理要求の受信には、予め定義されている関数により処理要求を受信するアプリケーションプログラムインタフェース（ＡＰＩ）１３３を利用して、要求内容の実施には、エンジンインタフェース１３４を利用する。プラットフォーム１３２としては、種々のコントロールサービス１５１と、システムリソースマネージャ１５２と、種々のハンドラ１５３が存在する。
【００７２】
コントロールサービス１５１は、アプリケーション１３１からの処理要求を解釈して、解釈結果に応じてハードウェア１１１の獲得要求を発生させる。コントロールサービス１５１としては、ネットワークコントロールサービス（ＮＣＳ）１６１と、ファクシミリコントロールサービス（ＦＣＳ）１６２と、デリバリコントロールサービス（ＤＣＳ）１６３と、エンジンコントロールサービス（ＥＣＳ）１６４と、メモリコントロールサービス（ＭＣＳ）１６５と、オペレーションパネルコントロールサービス（ＯＣＳ）１６６と、サーティフィケーションコントロールサービス（ＣＣＳ）１６７と、ユーザディレクトリコントロールサービス（ＵＣＳ）１６８と、システムコントロールサービス（ＳＣＳ）１６９が存在する。
【００７３】
ＮＣＳ１６１のプロセスは、ネットワーク等を介してデータ通信を行うための仲介を行う。ＦＣＳ１６２のプロセスは、ファクシミリとして画像データ通信・画像データ読取・画像データ印刷等を行うためのＡＰＩを提供する。ＤＣＳ１６３のプロセスは、融合機１０１に蓄積された文書データの配信に関する制御を行う。ＥＣＳ１６４のプロセスは、撮像部１２１や印刷部１２２等のエンジン部に関する制御を行う。ＭＣＳ１６５のプロセスは、画像データ記憶・画像データ処理等のメモリやハードディスクドライブに関する制御を行う。ＯＣＳ１６６のプロセスは、オペレーションパネルに関する制御を行う。ＣＣＳ１６７のプロセスは、認証処理や課金処理に関する制御を行う。ＵＣＳ１６８のプロセスは、ユーザ情報の管理に関する制御を行う。ＳＣＳ１６９のプロセスは、システムの管理に関する制御を行う。
【００７４】
システムリソースマネージャ（ＳＲＭ）１５２は、ハードウェア１１１の獲得要求を調停して、調停結果に応じて要求内容を実施するための制御を行う。詳細に言うと、ＳＲＭ１５２のプロセスは、獲得要求に係るハードウェア１１１が利用可能か否か（他の獲得要求と競合しないか否か）を判定して、利用可能である場合にはその旨をコントロールサービス１５１の各プロセスに通知する。さらに、獲得要求に係るハードウェア１１１の利用スケジュールを作成して、作成結果に応じて要求内容を実施するための制御を行う。
【００７５】
ハンドラ１５３は、調停結果に応じてハードウェア１１１を管理する。ハンドラ１５３としては、ファクシミリコントロールユニットハンドラ（ＦＣＵＨ）１７１と、イメージメモリハンドラ（ＩＭＨ）１７２が存在する。ＦＣＵＨ１７１は、ファクシミリコントロールユニットを管理する。ＩＭＨ１７２は、各プロセスにメモリを割り振り、各プロセスに割り振ったメモリを管理する。
【００７６】
融合機起動部１１３は、融合機１０１の電源投入時に最初に実行される。これにより、ＵＮＩＸ（登録商標）等のＯＳが起動され、アプリケーション１３１やプラットフォーム１３２が起動される。これらのプログラムは、ハードディスクドライブやメモリカードに蓄積されており、ハードディスクドライブやメモリカードから再生されて、メモリに起動されることになる。
【００７７】
図２は、図１の融合機１０１に係るハードウェア構成図である。融合機１０１のハードウェア１１１としては、コントローラ２０１と、オペレーションパネル２０２と、ファクシミリコントロールユニット（ＦＣＵ）２０３と、撮像部１２１と、印刷部１２２が存在する。撮像部１２１と印刷部１２２を除く各構成要素が、図１の「その他のハードウェア１２３」に該当する。
【００７８】
コントローラ２０１は、ＣＰＵ２１１と、ＡＳＩＣ２１２と、ＮＢ（ノースブリッジ）２２１と、ＳＢ（サウスブリッジ）２２２と、ＭＥＭ−Ｐ（システムメモリ）２３１と、ＭＥＭ−Ｃ（ローカルメモリ）２３２と、ＨＤＤ（ハードディスクドライブ）２３３と、メモリカードスロット２３４と、ＮＩＣ（ネットワークインタフェースコントローラ）２４１と、ＵＳＢデバイス２４２と、ＩＥＥＥ１３９４デバイス２４３と、セントロニクスデバイス２４４により構成される。
【００７９】
ＣＰＵ２１１は、種々の情報処理を実行するためのＩＣであり、アプリケーション１３１やプラットフォーム１３２をＵＮＩＸ（登録商標）等のＯＳによりプロセス単位で並列的に実行する。ＡＳＩＣ２１２は、画像処理用のＩＣである。ＮＢ２２１は、ＣＰＵ２１１とＡＳＩＣ２１２を接続するためのブリッジである。ＳＢ２２２は、ＮＢ２２１と周辺機器等を接続するためのブリッジである。ＡＳＩＣ２１２とＮＢ２２１は、ＡＧＰ（Ａｃｃｅｌｅｒａｔｅｄ  Ｇｒａｐｈｉｃｓ  Ｐｏｒｔ）を介して接続されている。
【００８０】
ＭＥＭ−Ｐ２３１は、ＮＢ２２１に接続されたメモリである。ＭＥＭ−Ｃ２３２は、ＡＳＩＣ２１２に接続されたメモリである。ＨＤＤ２３３は、ＡＳＩＣ２１２に接続されたストレージであり、画像データ蓄積・文書データ蓄積・プログラム蓄積・フォントデータ蓄積・フォームデータ蓄積等を行うために使用される。メモリカードスロット２３４は、ＳＢ２２２に接続されたスロットであり、メモリカード２３５をセット（挿入）するために使用される。
【００８１】
ＮＩＣ２４１は、ネットワーク等を介してＭＡＣアドレス等を使用したデータ通信を行うためのコントローラである。ＵＳＢデバイス２４２は、ＵＳＢ規格に準拠したシリアルポートを提供するためのデバイスである。ＩＥＥＥ１３９４デバイス２４３は、ＩＥＥＥ１３９４規格に準拠したシリアルポートを提供するためのデバイスである。セントロニクスデバイス２４４は、セントロニクス仕様に準拠したパラレルポートを提供するためのデバイスである。ＮＩＣ２４１と、ＵＳＢデバイス２４２と、ＩＥＥＥ１３９４デバイス２４３と、セントロニクスデバイス２４４は、ＰＣＩ（Ｐｅｒｉｐｈｅｒａｌ  Ｃｏｍｐｏｎｅｎｔ  Ｉｎｔｅｒｃｏｎｅｃｔ）バスを介してＮＢ２２１とＳＢ２２２に接続されている。
【００８２】
オペレーションパネル２０２は、オペレータが融合機１０１に入力を行うためのハードウェア（操作部）であると共に、オペレータが融合機１０１から出力を得るためのハードウェア（表示部）である。オペレーションパネル２０２は、ＡＳＩＣ２１２に接続されている。ＦＣＵ２０３と、撮像部１２１と、印刷部１２２は、ＰＣＩ（Ｐｅｒｉｐｈｅｒａｌ  Ｃｏｍｐｏｎｅｎｔ  Ｉｎｔｅｒｃｏｎｅｃｔ）バスを介してＡＳＩＣ２１２に接続されている。
【００８３】
図３は、図１の融合機１０１に係る外観図である。図３には、撮像部１２１の位置と、印刷部１２２の位置と、オペレーションパネル２０２の位置が図示されている。図３にはまた、原稿をセットするための原稿セット部３０１と、印刷用紙等の給紙先となる給紙部３０２と、印刷用紙等の排紙先となる排紙部３０３が図示されている。原稿セット部３０１は、撮像部１２１の構成要素であり、給紙部３０２と排紙部３０３は、印刷部１２２の構成要素である。
【００８４】
オペレーションパネル２０２は、図４のように、タッチパネル３１１と、テンキー３１２と、スタートボタン３１３と、リセットボタン３１４と、初期設定ボタン３１５により構成される。
【００８５】
タッチパネル３１１は、タッチ操作で入力を行うためのハードウェア（タッチ操作部）であると共に、画面表示で出力を得るためのハードウェア（画面表示部）である。テンキー３１２は、キー操作で数字入力を行うためのハードウェアである。スタートボタン３１３は、ボタン操作でスタート操作を行うためのハードウェアである。リセットボタン３１４は、ボタン操作でリセット操作を行うためのハードウェアである。初期設定ボタン３１５は、ボタン操作で初期設定画面を表示させるためのハードウェアである。
【００８６】
融合機１０１は、原稿セット部３０１に原稿がセットされている場合、スタートボタン３１３が押されることで、撮像部１２１によりその原稿から画像を読み取る。融合機１０１は、コピーとして機能する場合、印刷部１２２によりその画像を印刷用紙等に印刷することになり、ファクシミリとして機能する場合、ＦＣＵ２０３やＮＩＣ２４１によりその画像を電話回線やネットワーク等を介して他の機器に送信することになる。印刷用紙等の給紙先は給紙部３０２であり、印刷用紙等の排紙先は排紙部３０３である。
【００８７】
原稿セット部３０１は、ＡＤＦ（自動原稿搬送装置）３２１と、フラットベッド３２２と、フラットベッドカバー３２３により構成される。給紙部３０２は、４個の給紙トレイと１個の手差しトレイにより構成される。排紙部３０３は、１個の排紙トレイにより構成される。
【００８８】
ＡＤＦ３２１には、複数枚の原稿を重ねてセットすることができる。融合機１０１は、ＡＤＦ３２１に原稿がセットされている場合、スタートボタン３１３が押されることで、撮像部１２１によりその原稿から画像を読み取る。詳細に言うと、ＡＤＦ３２１に複数枚の原稿が重ねてセットされている場合、スタートボタン３１３が押されることで、ＡＤＦ３２１が、図３の矢印のような経路で複数枚の原稿を１枚ずつ搬送し、撮像部１２１が、図３の矢印のような経路で１枚ずつ搬送される原稿から画像を読み取る。
【００８９】
フラットベッド３２２には、原稿を下向きにセットする。融合機１０１は、フラットベッド３２２に原稿がセットされている場合、スタートボタン３１３が押されることで、撮像部１２１によりその原稿から画像を読み取る。詳細に言うと、フラットベッド３２２に原稿が下向きにセットされている場合、スタートボタン３１３が押されることで、撮像部１２１が、透明なフラットベッド３２２を介して対面する原稿から画像を読み取る。
【００９０】
（ユーザ情報）
図１の融合機１０１のユーザ情報について説明する。
【００９１】
図１の融合機１０１では、ユーザ情報は、ＵＣＳ１６８によってＨＤＤ２３３等に蓄積されて管理されると共に、スキャナアプリ１４３やファクシミリアプリ１４４等によって利用される。融合機１０１がスキャナやファクシミリとして機能する場合に、メールアドレスやファクシミリ電話番号等のユーザ情報が必要となるからである。融合機１０１は、ＵＣＳ１６８によって管理されているユーザ情報を利用して、画像をネットワークや電話回線等を介して他の機器に送信するなどの画像形成処理（コピーやプリンタやスキャナやファクシミリとしての処理）を実行することができる。
【００９２】
図１の融合機１０１では、ユーザ情報は、ＵＣＳ１６８によって図５のようなアドレス帳で管理される。すなわち、ユーザ（エントリ）はユーザＩＤ（エントリＩＤ）をもって管理され、ユーザ情報は「名前」「表示名」「よみがな」「メール宛先」「ＦＡＸ宛先」等の管理項目の項目値として管理される。個々のユーザのユーザ情報のデータ構造は、図６のようなツリー構造となる。すなわち、管理項目「名前」や「表示名」等が親項目となり、管理項目「メール宛先」や「ＦＡＸ宛先」等が子項目となる。なお、１のユーザのユーザ情報は、通常１個のエントリに格納されて管理されるが、複数個のエントリに格納されて管理される場合もある。
【００９３】
図１の融合機１０１は、ユーザ情報を、ＵＣＳ１６８によってＬＤＡＰサーバから取得することができる。ＵＣＳ１６８によってＬＤＡＰサーバから取得されたユーザ情報は、ＵＣＳ１６８によってＨＤＤ２３３等に蓄積されて管理されることになる。融合機１０１はここでは、図７のように、３台のＬＤＡＰサーバ４０１（ＬＤＡＰサーバＡ，Ｂ，Ｃ）とＬＡＮ等のネットワーク４１１で接続されており、ＬＤＡＰサーバ４０１からＬＡＮ等のネットワーク４１１を介してユーザ情報を取得することができる。
【００９４】
この様子を図７と図８に基づいて説明する。図７と図８はそれぞれ、ユーザ情報の取得処理について説明するためのシステム構成図とシーケンス図である。
【００９５】
スキャナアプリ１４３やファクシミリアプリ１４４は、図７のようなスキャナ操作画面４２１やファクシミリ操作画面４２２をタッチパネル３１１（図４）に表示する。サーバ情報の取得処理を開始する契機となる操作がこれら操作画面を介して入力されると、スキャナアプリ１４３等からＵＣＳ１６８にサーバ情報の取得要求が送信（Ｓ１０）される。これに応じて、ＵＣＳ１６８からスキャナアプリ１４３等にサーバ情報が提供（Ｓ２０）される。
【００９６】
図１の融合機１０１は、サーバ情報（ＬＤＡＰサーバ情報）を、ＵＣＳ１６８によってＨＤＤ２３３等に蓄積して管理することができる。サーバ（ＬＤＡＰサーバ）からユーザ情報を取得する場合等に利用するためである。サーバ情報はサーバごとにＨＤＤ２３３等に蓄積されて管理される。サーバ情報の管理項目は「サーバ名」「ポート番号」「ＩＰアドレス」等である。
【００９７】
図１の融合機１０１では、サーバ情報の登録／変更操作を行うことができる。この様子を図９に基づいて説明する。図９は、サーバ情報の登録／変更操作について説明するための画面遷移図である。初期設定画面５０１は、初期設定ボタン３１５（図４）が押されるとタッチパネル３１１（図４）に表示される。初期設定画面５０１で「システム初期設定ボタン５１１」がタッチされると、システム初期設定画面５０２に画面が移る。システム初期設定画面５０２で「ＬＤＡＰサーバ登録／変更ボタン５１２」がタッチされると、ＬＤＡＰサーバ登録／変更画面５０３に画面が移る。ＬＤＡＰサーバ登録／変更画面５０３でサーバ情報が入力されて「設定ボタン５１３」がタッチされると、サーバ情報が登録／変更される。これら設定画面は、ＳＣＳ１６９によりタッチパネル３１１（図４）に表示される。
【００９８】
Ｓ１０の処理とＳ２０の処理とに続いて、ユーザ情報の取得処理を開始する契機となる操作が入力されると、スキャナアプリ１４３等からＵＣＳ１６８にユーザ情報の検索要求が送信（Ｓ３０）される。これに応じて、ＵＣＳ１６８からＬＤＡＰサーバ４０１に検索操作が要求（Ｓ４０）される。これに応じて、ＬＤＡＰサーバ４０１からＵＣＳ１６８に検索結果が応答（Ｓ５０）される。これに応じて、ＵＣＳ１６８からスキャナアプリ１４３等にユーザ情報の検索終了通知が送信（Ｓ６０）される。続いて、スキャナアプリ１４３等からＵＣＳ１６８にユーザ情報の取得要求が送信（Ｓ７０）される。これに応じて、ＵＣＳ１６８からスキャナアプリ１４３等にユーザ情報が提供（Ｓ８０）される。
【００９９】
この様子を図１０に基づいて更に説明する。図１０は、ユーザ情報の取得処理について説明するための画面遷移図である。
【０１００】
画面Ａは、スキャナ操作画面４２１である。画面Ａで「ルーペボタン６０１」がタッチされると、画面Ｂに画面が移る。画面Ｂで「ＬＤＡＰ検索ボタン６０２」がタッチされると、画面Ｃに画面が移る。画面Ｃで「ＬＤＡＰサーバ選択ボタン６１１」がタッチされると、画面Ｄに画面が移り、画面ＤでＬＤＡＰサーバが選択されて「ＯＫボタン６２１」がタッチされると、画面Ｃに画面が戻る。画面Ｃで「ＬＤＡＰ検索条件入力ボタン６１２」がタッチされると、画面Ｅに画面が移り、画面ＥでＬＤＡＰ検索条件が入力されて「ＯＫボタン６２２」がタッチされると、画面Ｆに画面が移り、やがてユーザ情報が表示されることになる。画面Ｄで「ＯＫボタン６２１」にタッチする操作が、サーバ情報の取得処理を開始する契機となる操作に相当して、画面Ｅで「ＯＫボタン６２２」にタッチする操作が、ユーザ情報の取得処理（検索処理）を開始する契機となる操作に相当する。
【０１０１】
図１１は、ＬＤＡＰサーバ４０１からＵＣＳ１６８に応答（Ｓ５０）された検索結果、すなわち、ＵＣＳ１６８によりＬＤＡＰサーバ４０１から取得されたユーザ情報を表す。ユーザ情報の取得項目は「ｃｎ」「ｓｎ」「ｇｉｖｅｎＮａｍｅ」「ｍａｉｌ」「ｆａｃｓｉｍｉｌｅＴｅｌｅｐｈｏｎｅＮｕｍｂｅｒ」等である。ＬＤＡＰサーバ４０１は、ユーザ情報を「ｃｎ」「ｓｎ」「ｇｉｖｅｎＮａｍｅ」「ｍａｉｌ」「ｆａｃｓｉｍｉｌｅＴｅｌｅｐｈｏｎｅＮｕｍｂｅｒ」等の管理項目（属性）の項目値（属性値）として管理するからである。なお、正確には日本語等のＡＳＣＩＩ文字以外の文字はＢａｓｅ６４形式で符号化された上で記述されるが、図１１では便宜上省略した。
【０１０２】
図１の融合機１０１では、ＵＣＳ１６８によってＬＤＡＰサーバ４０１から取得されたユーザ情報のデータ構造は、Ｓ５０の処理とＳ６０の処理との間（図７，８）に、ＵＣＳ１６８によって図１１のようなデータ構造から図６のようなデータ構造に変換（Ｓ５５）される。ＵＣＳ１６８はその際、ＬＤＡＰサーバ４０１から取得されたユーザ情報の取得項目を、融合機１０１でのユーザ情報の管理項目に置換する。ＬＤＡＰサーバ４０１でのユーザ情報の管理項目と融合機１０１でのユーザ情報の管理項目とが異なるからである。例えば、ＬＤＡＰサーバ４０１ではメールアドレスは「ｍａｉｌ」という管理項目の項目値として管理（図１１）されるが、融合機１０１ではメールアドレスは「メール宛先」という管理項目の項目値として管理（図５，６）される。
【０１０３】
図１２は、図１０の画面遷移図に続く画面遷移図である。図１０の画面Ｆから図１２の画面Ｇにやがて画面が移る。
【０１０４】
画面Ｇには、ＵＣＳ１６８からスキャナアプリ１４３等に提供（Ｓ８０）されたユーザ情報が表示される。画面Ｇにてユーザ「鈴木太郎」がタッチされて「詳細ボタン６３１」がタッチされると、画面Ｈに画面が移る。画面Ｈには、ＵＣＳ１６８からスキャナアプリ１４３等に提供（Ｓ８０）されたユーザ「鈴木太郎」のユーザ情報の詳細が表示される。画面Ｈにて「詳細閉じるボタン６３２」がタッチされると、画面Ｇに画面が戻る。画面Ｇや画面Ｈに表示されるユーザ情報は、ＬＤＡＰサーバ４０１からＵＣＳ１６８に応答（Ｓ５０）された検索結果、すなわち、ＵＣＳ１６８によってＬＤＡＰサーバ４０１から取得されたユーザ情報である。ただし、ＵＣＳ１６８によってＬＤＡＰサーバ４０１から取得されたユーザ情報そのままではなく、ＬＤＡＰサーバ４０１から取得されたユーザ情報の取得項目が融合機１０１でのユーザ情報の管理項目に置換されたものである。例えば、ＬＤＡＰサーバ４０１から取得されたユーザ情報の取得項目「ｍａｉｌ」は、融合機１０１でのユーザ情報の管理項目「メール宛先」に置換されている。
【０１０５】
（ユーザ認証）
図１の融合機１０１のユーザ認証について説明する。
【０１０６】
図１３は、融合機１０１に係るシステム構成図である。図１の融合機１０１は、３台のＬＤＡＰサーバ４０１（ＬＤＡＰサーバＡ，Ｂ，Ｃ）とネットワーク４１１で接続されており、ＬＤＡＰサーバ４０１のクライアントとして機能することができる。図１の融合機１０１は更に、３台のＮＴサーバ７０１（ＮＴサーバＡ，Ｂ，Ｃ）とネットワーク４１１で接続されており、ＮＴサーバ７０１のクライアントとして機能することができる。
【０１０７】
図１４は、認証設定画面８０１に係る画面図である。認証設定画面８０１は、融合機１０１を利用するユーザの認証処理に係る設定を融合機１０１内に設定するための設定画面である。認証設定画面８０１を提供する機能はＳＣＳ１６９が担い、認証設定画面８０１での設定を管理する機能はＣＣＳ１６７が担う。認証設定画面８０１はタッチパネル３１１に表示され、認証設定画面８０１での設定操作はタッチパネル３１１のタッチ操作等で行うものとする。
【０１０８】
ボタン８１１は、融合機１０１を利用するユーザの認証処理を融合機１０１が実行する旨の設定を融合機１０１内に設定するためのボタンである。認証設定画面８０１でボタン８１１がタッチされて「設定」ボタンがタッチされると、融合機１０１を利用するユーザの認証処理を融合機１０１が実行する旨の設定が融合機１０１内に設定される。
【０１０９】
ボタン８１２は、融合機１０１を利用するユーザの認証処理をＮＴサーバ７０１に実行させる旨の設定を融合機１０１内に設定するためのボタンである。認証設定画面８０１でボタン８１２がタッチされてから「設定」ボタンがタッチされると、融合機１０１を利用するユーザの認証処理をＮＴサーバ７０１に実行させる旨の設定が融合機１０１内に設定される。認証処理をどのＮＴサーバ７０１に実行させるかの情報、認証処理を実行させるＮＴサーバ７０１のサーバ情報、は事前に設定しておく。
【０１１０】
ボタン８１３は、融合機１０１を利用するユーザの認証処理をＬＤＡＰサーバ４０１に実行させる旨の設定を融合機１０１内に設定するためのボタンである。認証設定画面８０１でボタン８１３がタッチされてから「設定」ボタンがタッチされると、融合機１０１を利用するユーザの認証処理をＬＤＡＰサーバ４０１に実行させる旨の設定が融合機１０１内に設定される。認証処理をどのＬＤＡＰサーバ４０１に実行させるかの情報、認証処理を実行させるＬＤＡＰサーバ４０１のサーバ情報、は事前に設定しておく。
【０１１１】
このように、図１の融合機１０１は、ローカル認証とＮＴ認証とＬＤＡＰ認証という３種類の認証方式をサポートしている。そのため、図１の融合機１０１を利用するユーザの認証情報には、ローカル認証情報とＮＴ認証情報とＬＤＡＰ認証情報という３種類の認証情報が存在することになる。図１の融合機１０１は、ＵＣＳ１６８によって、当該融合機１０１を利用するユーザの３種類の認証情報を１個のエントリに格納して管理することができる。したがって、同一のユーザの認証情報を同一のエントリに格納させて管理させておくことで、同一のユーザの認証情報同士を関連付けておくことができるのである。
【０１１２】
図１５は、図１の融合機１０１を利用するユーザの３種類の認証情報が格納された１個のエントリの概念図である。図１５のエントリには、当該ユーザのエントリ情報，メール情報，ＦＡＸ情報，認証情報，利用制限情報，課金情報等が格納されている。図１５のエントリには、当該ユーザの認証処理を当該融合機１０１が実行する（ローカル認証）際に使用される認証情報（ローカル認証情報）と、当該ユーザの認証処理を当該融合機１０１がＮＴサーバ７０１に実行させる（ＮＴ認証）際に使用される認証情報（ＮＴ認証情報）と、当該ユーザの認証処理を当該融合機１０１がＬＤＡＰサーバ７０１に実行させる（ＬＤＡＰ認証）際に使用される認証情報（ＬＤＡＰ認証情報）とが格納されている。
【０１１３】
ローカル認証情報，ＮＴ認証情報，ＬＤＡＰ認証情報はそれぞれ、ローカル認証，ＮＴ認証，ＬＤＡＰ認証に係る「ユーザＩＤ」と「パスワード」により構成される。図１５のエントリには、ＮＴ認証情報，ＬＤＡＰ認証情報と共にＮＴ認証情報，ＬＤＡＰ認証情報を使用して実行された当該ユーザの認証処理の認証結果が格納されている。
【０１１４】
図１６は、図１の融合機１０１を利用するユーザの３種類の認証情報を格納するための１個のエントリの概念図である。図１６のエントリには、当該ユーザのエントリ情報，メール情報，ＦＡＸ情報，認証情報，利用制限情報，課金情報等を格納することができる。図１６のエントリには、当該ユーザの認証処理を当該融合機１０１が実行する（ローカル認証）際に使用される認証情報（ローカル認証情報）と、当該ユーザの認証処理を当該融合機１０１がＮＴサーバ７０１に実行させる（ＮＴ認証）際に使用される認証情報（ＮＴ認証情報）と、当該ユーザの認証処理を当該融合機１０１がＬＤＡＰサーバ７０１に実行させる（ＬＤＡＰ認証）際に使用される認証情報（ＬＤＡＰ認証情報）とを格納することができる。
【０１１５】
ローカル認証情報，ＮＴ認証情報，ＬＤＡＰ認証情報はそれぞれ、ローカル認証，ＮＴ認証，ＬＤＡＰ認証に係る「ユーザＩＤ」と「パスワード」により構成される。図１６のエントリには、ＮＴ認証情報，ＬＤＡＰ認証情報と共にＮＴ認証情報，ＬＤＡＰ認証情報を使用して実行された当該ユーザの認証処理の認証結果を格納することができる。
【０１１６】
１）第１のエントリ生成画面
図１７は、図１５のエントリを生成するためのエントリ生成画面８２１に係る画面図である。図１７のエントリ生成画面８２１では、図１の融合機１０１を利用するユーザの２種類以上の認証情報が格納されたエントリを生成すべく、図１の融合機１０１を利用するユーザの２種類以上の認証情報を指定することができる。エントリ生成画面８２１を提供する機能はＳＣＳ１６９が担い、融合機１０１を利用するユーザの２種類以上の認証情報が格納されたエントリを生成する機能はＵＣＳ１６８が担う。図１７のエントリ生成画面８２１はタッチパネル３１１に表示され、図１７のエントリ生成画面８２１での設定操作はタッチパネル３１１のタッチ操作等で行うものとする。
【０１１７】
指定欄８３１は、融合機１０１を利用するユーザのローカル認証情報を指定するための指定欄である。指定欄８３２は、融合機１０１を利用するユーザのＮＴ認証情報を指定するための指定欄である。指定欄８３３は、融合機１０１を利用するユーザのＬＤＡＰ認証情報を指定するための指定欄である。図１７のエントリ生成画面８２１の指定欄８３１，指定欄８３２，指定欄８３３でそれぞれローカル認証情報，ＮＴ認証情報，ＬＤＡＰ認証情報が指定されてから「設定」ボタンがタッチされると、図１の融合機１０１を利用するユーザの認証情報が格納されたエントリとして、図１７のエントリ生成画面８２１の指定欄８３１，指定欄８３２，指定欄８３３で指定されたローカル認証情報，ＮＴ認証情報，ＬＤＡＰ認証情報が格納されたエントリが融合機１０１内に生成される。
【０１１８】
図１８は、融合機１０１を利用するユーザの認証処理に係るシーケンス図である。ここでは、図１４の認証設定画面８０１での設定は「ローカル認証」であるものとする。
【０１１９】
融合機１０１を利用するユーザが融合機１０１にログインすべく融合機１０１に「ローカル認証情報」を入力すると、ＳＣＳ１６９からＣＣＳ１６７に認証要求が送信（Ｓ１１０）される。これに応じて、ＣＣＳ１６７からＵＣＳ１６８にエントリＩＤの取得要求が送信（Ｓ１２０）される。これに応じて、ＵＣＳ１６８は、上記の「ローカル認証情報」が格納されたエントリのエントリＩＤを取得するためのエントリ検索を実行（Ｓ１３０）する。これに続いて、ＵＣＳ１６８からＣＣＳ１６７にエントリＩＤが提供（Ｓ１４０）される。これに応じて、ＣＣＳ１６７は、融合機１０１の各機能のチケットを生成（Ｓ１５０）して配布（Ｓ１６０）する。
【０１２０】
図１９は、融合機１０１を利用するユーザの認証処理に係るシーケンス図である。ここでは、図１４の認証設定画面８０１での設定は「ＬＤＡＰ認証」であるものとする。にもかかわらず、融合機１０１を利用するユーザが融合機１０１にログインするときに融合機１０１に入力すべき認証情報は「ローカル認証情報」であるものとする。
【０１２１】
融合機１０１を利用するユーザが融合機１０１にログインすべく融合機１０１に「ローカル認証情報」を入力すると、ＳＣＳ１６９からＣＣＳ１６７に認証要求が送信（Ｓ２１０）される。これに応じて、ＣＣＳ１６７からＵＣＳ１６８にエントリＩＤの取得要求が送信（Ｓ２２０）される。これに応じて、ＵＣＳ１６８は、上記の「ローカル認証情報」が格納されたエントリのエントリＩＤと「ＬＤＡＰ認証情報」を取得するためのエントリ検索を実行（Ｓ２３０）する。これに続いて、ＵＣＳ１６８からＬＤＡＰサーバ４０１に上記の「ＬＤＡＰ認証情報」に係る認証操作が要求（Ｓ２３１）される。これに応じて、ＬＤＡＰサーバ４０１からＵＣＳ１６８に上記の「ＬＤＡＰ認証情報」に係る認証結果が応答（Ｓ２３２）される。これに応じて、ＵＣＳ１６８は、この「ＬＤＡＰ認証」の認証結果を上記エントリに格納（Ｓ２３３）する。これに続いて、ＵＣＳ１６８からＬＤＡＰサーバ４０１に検索操作が要求（Ｓ２３４）される。これに応じて、ＬＤＡＰサーバ４０１からＵＣＳ１６８に検索結果が応答（Ｓ２３５）される。これに応じて、ＵＣＳ１６８からＣＣＳ１６７にエントリＩＤが提供（Ｓ２４０）される。これに応じて、ＣＣＳ１６７は、融合機１０１の各機能のチケットを生成（Ｓ２５０）して配布（Ｓ２６０）する。
【０１２２】
このように、融合機１０１のログイン設定は、融合機１０１を利用するユーザが融合機１０１にログインするときには、融合機１０１の認証設定が「ローカル認証」であっても「ＮＴ認証」であっても「ＬＤＡＰ認証」であっても、融合機１０１には「ローカル認証情報」を入力すべきような設定になっている。いわゆる「シングルサインオン」が擬似的に実現されているのである。これにより、融合機１０１を利用するユーザが融合機１０１にログインするときに融合機１０１に入力すべき認証情報が「ローカル認証情報」に限定されるため、融合機１０１を利用するユーザにとっては認証情報の管理負担が軽減されることになるのである。
【０１２３】
図２０は、融合機１０１を利用するユーザの認証処理に係るシーケンス図である。ここでは、図１４の認証設定画面８０１での設定は「ＬＤＡＰ認証」であるものとする。にもかかわらず、ＬＤＡＰサーバ４０１がダウンしていてＬＤＡＰサーバ４０１に実行させるはずの「ＬＤＡＰ認証」が実行不可能であるものとする。
【０１２４】
融合機１０１を利用するユーザが融合機１０１にログインすべく融合機１０１に「ローカル認証情報」を入力すると、ＳＣＳ１６９からＣＣＳ１６７に認証要求が送信（Ｓ３１０）される。これに応じて、ＣＣＳ１６７からＵＣＳ１６８にエントリＩＤの取得要求が送信（Ｓ３２０）される。これに応じて、ＵＣＳ１６８は、上記の「ローカル認証情報」が格納されたエントリのエントリＩＤと「ＬＤＡＰ認証情報」を取得するためのエントリ検索を実行（Ｓ３３０）する。これに続いて、ＵＣＳ１６８からＬＤＡＰサーバ４０１に上記の「ＬＤＡＰ認証情報」に係る認証操作が要求（Ｓ３３１）される。これにより、ＵＣＳ１６８は、ＬＤＡＰサーバ４０１がダウンしていることを認識（Ｓ３３２）することになる。この場合、ＵＣＳ１６８は、上記エントリに格納されている上記ユーザの前回の「ＬＤＡＰ認証」の認証結果の是非をもとにして、上記ユーザの認証を許可するか否かの是非を判断（Ｓ３３３）する。これに続いて、ＵＣＳ１６８からＣＣＳ１６７にエントリＩＤが提供（Ｓ３４０）される。これに応じて、ＣＣＳ１６７は、融合機１０１の各機能のチケットを生成（Ｓ３５０）して配布（Ｓ３６０）する。
【０１２５】
このように、融合機１０１は、ＮＴ認証情報やＬＤＡＰ認証情報を使用して実行されるはずのあるユーザの認証処理が実行不可能な場合にも、ＮＴ認証情報やＬＤＡＰ認証情報を使用して実行されたそのユーザの前回の認証処理の認証結果をもとにして、そのユーザの認証を許可することができるのである。
【０１２６】
図１の融合機１０１では、同一のユーザのローカル認証情報とＮＴ認証情報とＬＤＡＰ認証情報とを同一のエントリに格納させて管理させておくことができる。そのようにしておけば、融合機１０１の認証設定がローカル認証の場合にもＮＴ認証の場合にもＬＤＡＰ認証の場合にも、同一のユーザのユーザ情報が同一のエントリから参照されることになるのである。
【０１２７】
２）第２のエントリ生成画面
図２１は、図１５のエントリを生成するためのエントリ生成画面８２１に係る画面図である。図２１のエントリ生成画面８２１では、図１の融合機１０１を利用するユーザの２種類以上の認証情報が格納されたエントリを生成すべく、図１の融合機１０１を利用するユーザの認証情報が格納された２個以上のエントリを指定することができる。エントリ生成画面８２１を提供する機能はＳＣＳ１６９が担い、融合機１０１を利用するユーザの２種類以上の認証情報が格納されたエントリを生成する機能はＵＣＳ１６８が担う。図２１のエントリ生成画面８２１はタッチパネル３１１に表示され、図２１のエントリ生成画面８２１での設定操作はタッチパネル３１１のタッチ操作等で行うものとする。
【０１２８】
エントリ生成画面８２１Ａは、融合機１０１を利用するユーザの「ローカル認証情報」が格納されたエントリを指定すべく、その「ローカル認証情報」を指定する様子を表す。エントリ生成画面８２１Ａで「認証」ボタンがタッチされると、エントリ生成画面８２１Ｂに画面が移る。
【０１２９】
エントリ生成画面８２１Ｂは、融合機１０１を利用するユーザの「ＬＤＡＰ認証情報」が格納されたエントリを指定すべく、その「ＬＤＡＰ認証情報」を指定する様子を表す。エントリ生成画面８２１Ｂで「認証」ボタンがタッチされると、エントリ生成画面８２１Ｃに画面が移る。
【０１３０】
エントリ生成画面８２１Ｃは、エントリ生成画面８２１Ａで指定されたエントリとエントリ生成画面８２１Ｂで指定されたエントリとを併合するかしないかの確認画面である。エントリ生成画面８２１Ａで指定されたエントリは、ローカル認証情報「ｏｈｔａｎｉ」が格納されたエントリである。エントリ生成画面８２１Ｂで指定されたエントリは、ＬＤＡＰ認証情報「ｏｈｔａｙｏ＠ｒ．ｃｏ．ｊｐ」が格納されたエントリである。エントリ生成画面８２１Ｃで「する」がタッチされて「設定」ボタンがタッチされると、エントリ生成画面８２１Ｄに画面が移る。
【０１３１】
エントリ生成画面８２１Ｄは、エントリ生成画面８２１Ａで指定されたエントリとエントリ生成画面８２１Ｂで指定されたエントリとを併合する際にどちらのエントリを基本にするかを指定するための指定画面である。エントリ生成画面８２１Ｄで「設定」ボタンがタッチされると、エントリ生成画面８２１Ｅに画面が移る。
【０１３２】
エントリ生成画面８２１Ｅは、エントリ生成画面８２１Ａで指定されたエントリとエントリ生成画面８２１Ｂで指定されたエントリとを併合する際にどのような利用制限情報を採用するかを指定するための指定画面である。この画面は、エントリ生成画面８２１Ａで指定されたエントリの利用制限情報とエントリ生成画面８２１Ｂで指定されたエントリの利用制限情報とが異なる場合に表示される。エントリ生成画面８２１Ｅで「設定」ボタンがタッチされると、エントリ生成画面８２１が終了する。
【０１３３】
これにより、エントリ生成画面８２１Ａで指定されたエントリとエントリ生成画面８２１Ｂで指定されたエントリとが併合されて、図１の融合機１０１を利用するユーザの認証情報が格納されたエントリとして、前者のエントリのローカル認証情報と後者のエントリのＬＤＡＰ認証情報とが格納されたエントリが融合機１０１内に生成される。なお、エントリ生成画面８２１Ｄで指定されたエントリが生成エントリの基本になり、エントリ生成画面８２１Ｅで指定された利用制限情報が生成エントリの利用制限情報に採用される。
【０１３４】
図２２は、融合機１０１内のエントリのリストである。図２２Ａが図２１の併合処理前のエントリのリストであり、図２２Ｂが図２１の併合処理後のエントリのリストである。図２２Ａの「エントリ１」がエントリ生成画面８２１Ａで指定されたエントリ、図２２Ａの「エントリ３」がエントリ生成画面８２１Ｂで指定されたエントリ、図２２Ｂの「エントリ１」が生成エントリである。図２２中では、エントリ生成画面８２１Ｄで指定されたエントリが「エントリ１」であるとして、生成エントリを「エントリ１」としている。図２２Ｂの「エントリ１」の課金額「３００」は、図２２Ａの「エントリ１」の課金額「１００」と図２２Ａの「エントリ３」の課金額「２００」とを合計したものである。この例と同様に、生成エントリの課金額は、図２１のエントリ生成画面８２１で指定された２個以上のエントリの各エントリの課金額を合計したものとなる。
【０１３５】
図２３は、融合機１０１内のエントリのリストである。図２３Ａが図２１の併合処理前のエントリのリストであり、図２３Ｂ１，２，３，４が図２１の併合処理後のエントリのリストである。図２３Ａの「エントリ１」がエントリ生成画面８２１Ａで指定されたエントリ、図２３Ａの「エントリ３」がエントリ生成画面８２１Ｂで指定されたエントリ、図２３Ｂ１，２，３，４の「エントリ１」が生成エントリである。図２３中、融合機１０１のある機能に「丸」がある場合にはその機能の利用権限があることを表し、融合機１０１のある機能に「丸」がない場合にはその機能の利用権限がないことを表す。
【０１３６】
図２３Ｂ１は、エントリ生成画面８２１Ｅで「ｏｈｔａｎｉ」を指定した場合のリストに相当する。図２３Ｂ１の「エントリ１」の利用制限情報は、図２３Ａの「エントリ１」すなわち「ｏｈｔａｎｉ」の利用制限情報を踏襲したものとなる。
【０１３７】
図２３Ｂ２は、エントリ生成画面８２１Ｅで「ｏｈｔａｙｏ＠ｒ．ｃｏ．ｊｐ」を指定した場合のリストに相当する。図２３Ｂ２の「エントリ１」の利用制限情報は、図２３Ａの「エントリ３」すなわち「ｏｈｔａｙｏ＠ｒ．ｃｏ．ｊｐ」の利用制限情報を踏襲したものとなる。
【０１３８】
図２３Ｂ３は、エントリ生成画面８２１Ｅで「両者を併合」を指定した場合のリストに相当する。図２３Ｂ３の「エントリ１」の利用制限情報は、図２３Ａの「エントリ１」すなわち「ｏｈｔａｎｉ」の利用制限情報と図２３Ａの「エントリ３」すなわち「ｏｈｔａｙｏ＠ｒ．ｃｏ．ｊｐ」の利用制限情報とを併合させて踏襲したものとなる。
【０１３９】
図２３Ｂ４は、エントリ生成画面８２１Ｅで「両者を並存」を指定した場合のリストに相当する。図２３Ｂ４の「エントリ１」の利用制限情報は、図２３Ａの「エントリ１」すなわち「ｏｈｔａｎｉ」の利用制限情報と図２３Ａの「エントリ３」すなわち「ｏｈｔａｙｏ＠ｒ．ｃｏ．ｊｐ」の利用制限情報とを並存させて踏襲したものとなる。
【０１４０】
３）第３のエントリ生成画面
図２４は、図１６のエントリ（空エントリ）を生成するためのエントリ生成画面８２１に係る画面図である。図２４のエントリ生成画面８２１では、図１の融合機１０１を利用するユーザの２種類以上の認証情報を格納するためのエントリを自動生成で生成すべく、図１の融合機１０１を利用するユーザの２種類以上の認証情報を格納するためのエントリを自動生成で生成する旨の設定を登録することができる。エントリ生成画面８２１を提供する機能はＳＣＳ１６９が担い、融合機１０１を利用するユーザの２種類以上の認証情報を格納するためのエントリを生成する機能はＵＣＳ１６８が担う。図２４のエントリ生成画面８２１はタッチパネル３１１に表示され、図２４のエントリ生成画面８２１での設定操作はタッチパネル３１１のタッチ操作等で行うものとする。
【０１４１】
図２４のエントリ生成画面８２１は、融合機１０１を利用するユーザの認証情報を格納するためのエントリを自動生成する旨の設定を登録するかしないかの確認画面である。図２４のエントリ生成画面８２１で「する」がタッチされて「設定」ボタンがタッチされると、融合機１０１を利用するユーザの認証情報を格納するためのエントリを自動生成する旨の設定が融合機１０１内に登録される。
【０１４２】
図２５は、融合機１０１を利用するユーザの認証処理に係るシーケンス図である。ここでは、図１４の認証設定画面８０１での設定は「ローカル認証」であるものとする。
【０１４３】
融合機１０１を利用するユーザが融合機１０１にログインすべく融合機１０１に「ローカル認証情報」を入力すると、ＳＣＳ１６９からＣＣＳ１６７に認証要求が送信（Ｓ４１０）される。これに応じて、ＣＣＳ１６７からＵＣＳ１６８にエントリＩＤの取得要求が送信（Ｓ４２０）される。これに応じて、ＵＣＳ１６８は、上記の「ローカル認証情報」が格納されたエントリのエントリＩＤを取得するためのエントリ検索を実行（Ｓ４３０）する。ここでは、上記の「ローカル認証情報」が格納されたエントリは融合機１０１内に保存されていないものとする。この場合、ＵＣＳ１６８からＣＣＳ１６７にエントリＩＤの取得失敗通知が送信（Ｓ４４０）される。これに応じて、ＣＣＳ１６７からＳＣＳ１６９にエントリＩＤの取得失敗通知が送信（Ｓ４５０）される。
【０１４４】
図２６は、融合機１０１を利用するユーザの認証処理に係るシーケンス図である。ここでは、図１４の認証設定画面８０１での設定は「ＬＤＡＰ認証」であるものとする。
【０１４５】
融合機１０１を利用するユーザが融合機１０１にログインすべく融合機１０１に「ＬＤＡＰ認証情報」を入力すると、ＳＣＳ１６９からＣＣＳ１６７に認証要求が送信（Ｓ５１０）される。これに応じて、ＣＣＳ１６７からＵＣＳ１６８にエントリＩＤの取得要求が送信（Ｓ５２０）される。これに応じて、ＵＣＳ１６８は、上記の「ＬＤＡＰ認証情報」と同一のローカル認証情報が格納されたエントリのエントリＩＤを取得するためのエントリ検索を実行（Ｓ５３０）する。ここでは、上記の「ＬＤＡＰ認証情報」と同一のローカル認証情報が格納されたエントリは融合機１０１内に保存されていないものとする。この場合、ＵＣＳ１６８からＬＤＡＰサーバ４０１に上記の「ＬＤＡＰ認証情報」に係る認証操作が要求（Ｓ５３１）される。これに応じて、ＬＤＡＰサーバ４０１からＵＣＳ１６８に上記の「ＬＤＡＰ認証情報」に係る認証結果が応答（Ｓ５３２）される。この場合、ＵＣＳ１６８は、図２４のエントリ生成画面８２１で登録された設定に基づき、上記ユーザの２種類以上の認証情報を格納するためのエントリを融合機１０１内に自動生成（Ｓ５３３）する。これに続いて、ＵＣＳ１６８からＬＤＡＰサーバ４０１に検索操作が要求（Ｓ５３４）される。これに応じて、ＬＤＡＰサーバ４０１からＵＣＳ１６８に検索結果が応答（Ｓ５３５）される。これに応じて、ＵＣＳ１６８からＣＣＳ１６７にエントリＩＤが提供（Ｓ５４０）される。これに応じて、ＣＣＳ１６７は、融合機１０１の各機能のチケットを生成（Ｓ５５０）して配布（Ｓ５６０）する。
【０１４６】
このように、融合機１０１では、ＮＴ認証やＬＤＡＰ認証の際（ログインの際）に、図２４のエントリ生成画面８２１で登録された設定に基づいて、エントリの自動生成が実行される。当該自動生成エントリには、ＮＴ認証情報やＬＤＡＰ認証情報が格納されることになるものの、メール情報，ＦＡＸ情報，利用制限情報，課金情報については空のままである。ここでは、当該自動生成エントリには、ＮＴ認証情報やＬＤＡＰ認証情報が「ＮＴ認証情報」や「ＬＤＡＰ認証情報」として格納されると共に「ローカル認証情報」としても格納されるものとする。これにより、上記ユーザのローカル認証が実行可能になるのである。
【０１４７】
図２７は、融合機１０１を利用するユーザの認証処理に係るシーケンス図である。ここでは、図１４の認証設定画面８０１での設定は「ＬＤＡＰ認証」であるものとする。
【０１４８】
融合機１０１を利用するユーザが融合機１０１にログインすべく融合機１０１に「ＬＤＡＰ認証情報」を入力すると、ＳＣＳ１６９からＣＣＳ１６７に認証要求が送信（Ｓ６１０）される。これに応じて、ＣＣＳ１６７からＵＣＳ１６８にエントリＩＤの取得要求が送信（Ｓ６２０）される。これに応じて、ＵＣＳ１６８は、上記「ＬＤＡＰ認証情報」と同一のローカル認証情報が格納されたエントリのエントリＩＤを取得するためのエントリ検索を実行（Ｓ６３０）する。ここでは、上記「ＬＤＡＰ認証情報」と同一のローカル認証情報が格納されたエントリが融合機１０１内に保存されているものとする。この場合、ＵＣＳ１６８からＬＤＡＰサーバ４０１に上記の「ＬＤＡＰ認証情報」に係る認証操作が要求（Ｓ６３１）される。これに応じて、ＬＤＡＰサーバ４０１からＵＣＳ１６８に上記の「ＬＤＡＰ認証情報」に係る認証結果が応答（Ｓ６３２）される。この場合、エントリの自動生成は実行されない。続いて、ＵＣＳ１６８からＬＤＡＰサーバ４０１に検索操作が要求（Ｓ６３４）される。これに応じて、ＬＤＡＰサーバ４０１からＵＣＳ１６８に検索結果が応答（Ｓ６３５）される。これに応じて、ＵＣＳ１６８からＣＣＳ１６７にエントリＩＤが提供（Ｓ６４０）される。これに応じて、ＣＣＳ１６７は、融合機１０１の各機能のチケットを生成（Ｓ６５０）して配布（Ｓ６６０）する。
【０１４９】
４）ＰＣ
図２８は、本発明の実施例に該当するＰＣ９０１を表す。図２８のＰＣ９０１は、ＰＣ本体９１１と、ディスプレイ９１２と、キーボード９１３と、マウス９１４等により構成されている。ＰＣ本体９１１には、図２９のように、ＣＰＵ９２１と、ＲＯＭ９２２と、ＲＡＭ９２３と、ＮＶＲＡＭ９２４と、ＨＤＤ９２５と、ＭＯＤＥＭ９２６と、ＮＩＣ９２７等が存在している。ＨＤＤ９２５には、図３０のように、オペレーティングシステム９３１と、融合機端末用アプリ９３２等がインストールされている。
【０１５０】
図１の融合機１０１と図２８のＰＣ９０１は、図３１のように、３台のＬＤＡＰサーバ４０１（ＬＤＡＰサーバＡ，Ｂ，Ｃ）とネットワーク４１１で接続されており、ＬＤＡＰサーバ４０１のクライアント（ＬＤＡＰクライアント）として機能することができる。図１の融合機１０１と図２８のＰＣ９０１は更に、図３１のように、３台のＮＴサーバ７０１（ＮＴサーバＡ，Ｂ，Ｃ）とネットワーク４１１で接続されており、ＮＴサーバ７０１のクライアント（ＮＴクライアント）として機能することができる。図１の融合機１０１と図２８のＰＣ９０１はそして、図３１のように、ネットワーク４１１で相互接続されている。
【０１５１】
以上の説明を踏まえて、図２８のＰＣ９０１の融合機端末用アプリ９３２について説明する。融合機端末用アプリ９３２は、ＰＣ９０１を融合機９０１の端末として機能させるためのアプリケーションであり、融合機１０１のＳＣＳ１６９と同様の役割を担うものである。すなわち、図１４の認証設定画面８０１や図１７，２１，２４のエントリ生成画面８２１を提供する機能を担うものである。これら認証設定画面８０１やエントリ生成画面８２１はディスプレイ９１２に表示され、これら認証設定画面８０１やエントリ生成画面８２１での設定操作はキーボード９１３やマウス９１４で行うものとする。
【０１５２】
図２８のＰＣ９０１において、図１４の認証設定画面８０１でボタン８１１がクリックされて「設定」ボタンがクリックされると、融合機１０１を利用するユーザの認証処理を融合機１０１が実行する旨の設定が融合機１０１内に設定される。
【０１５３】
図２８のＰＣ９０１において、図１４の認証設定画面８０１でボタン８１２がクリックされて「設定」ボタンがクリックされると、融合機１０１を利用するユーザの認証処理をＮＴサーバ７０１に実行させる旨の設定が融合機１０１内に設定される。
【０１５４】
図２８のＰＣ９０１において、図１４の認証設定画面８０１でボタン８１３がクリックされて「設定」ボタンがクリックされると、融合機１０１を利用するユーザの認証処理をＬＤＡＰサーバ４０１に実行させる旨の設定が融合機１０１内に設定される。
【０１５５】
図２８のＰＣ９０１において、図１７のエントリ生成画面８２１の指定欄８３１，指定欄８３２，指定欄８３３でそれぞれローカル認証情報，ＮＴ認証情報，ＬＤＡＰ認証情報が指定されてから「設定」ボタンがクリックされると、図１７のエントリ生成画面８２１の指定欄８３１，指定欄８３２，指定欄８３３でそれぞれ指定されたローカル認証情報，ＮＴ認証情報，ＬＤＡＰ認証情報が格納されたエントリが融合機１０１内に生成される。
【０１５６】
図２８のＰＣ９０１において、図２１のエントリ生成画面８２１Ａ，図２１のエントリ生成画面８２１Ｂでそれぞれエントリが指定されてから図２１のエントリ生成画面８２１Ｅで「設定」ボタンがクリックされると、エントリ生成画面８２１Ａで指定されたエントリとエントリ生成画面８２１Ｂで指定されたエントリとが併合されて、前者のエントリのローカル認証情報と後者のエントリのＬＤＡＰ認証情報とが格納されたエントリが融合機１０１内に生成される。
【０１５７】
図２８のＰＣ９０１において、図２４のエントリ生成画面８２１で「する」がクリックされて「設定」ボタンがクリックされると、融合機１０１を利用するユーザの認証情報を格納するためのエントリを自動生成する旨の設定が融合機１０１内に登録される。
【０１５８】
（変形例）
図１の融合機１０１は、本発明「情報処理装置」の実施例に該当して、図１の融合機１０１によって実行される情報処理は、本発明「情報処理方法」の実施例に該当する。当該情報処理をコンピュータに実行させるコンピュータプログラムは、本発明「情報処理プログラム」の実施例に該当し、当該情報処理をコンピュータに実行させるコンピュータプログラムが記録されたＣＤ−ＲＯＭは、本発明「記録媒体」の実施例に該当する。
【０１５９】
図２８のＰＣ９０１は、本発明「端末装置」の実施例に該当し、図２８のＰＣ９０１によって実行される情報処理は、本発明「情報処理方法」の実施例に該当する。図３０の融合機端末用アプリ９３２は、本発明「情報処理プログラム」の実施例に該当して、図３０の融合機端末用アプリ９３２が記録されたＣＤ−ＲＯＭは、本発明「記録媒体」の実施例に該当する。
【図面の簡単な説明】
【０１６０】
【図１】本発明の実施例に該当する融合機を表す。
【図２】図１の融合機に係るハードウェア構成図である。
【図３】図１の融合機に係る外観図である。
【図４】オペレーションパネルを表す。
【図５】アドレス帳を表す。
【図６】ユーザ情報のデータ構造を表す。
【図７】ユーザ情報の取得処理について説明するためのシステム構成図である。
【図８】ユーザ情報の取得処理について説明するためのシーケンス図である。
【図９】サーバ情報の登録／変更操作について説明するための画面遷移図である。
【図１０】ユーザ情報の取得処理について説明するための画面遷移図である。
【図１１】ＬＤＡＰサーバから取得されたユーザ情報を表す。
【図１２】図１０の画面遷移図に続く画面遷移図である。
【図１３】融合機に係るシステム構成図である。
【図１４】認証設定画面に係る画面図である。
【図１５】３種類の認証情報が格納された１個のエントリの概念図である。
【図１６】３種類の認証情報を格納するための１個のエントリの概念図である。
【図１７】図１５のエントリを生成するためのエントリ生成画面に係る画面図である。
【図１８】認証処理（ローカル認証）に係るシーケンス図である。
【図１９】認証処理（ＬＤＡＰ認証）に係るシーケンス図である。
【図２０】認証処理（ＬＤＡＰ認証）に係るシーケンス図である。
【図２１】図１５のエントリを生成するためのエントリ生成画面に係る画面図である。
【図２２】融合機内のエントリのリストである。
【図２３】融合機内のエントリのリストである。
【図２４】図１６のエントリを生成するためのエントリ生成画面に係る画面図である。
【図２５】認証処理（ローカル認証）に係るシーケンス図である。
【図２６】認証処理（ＬＤＡＰ認証）に係るシーケンス図である。
【図２７】認証処理（ＬＤＡＰ認証）に係るシーケンス図である。
【図２８】本発明の実施例に該当するＰＣ（パーソナルコンピュータ）を表す。
【図２９】ＰＣ本体を表す。
【図３０】ＨＤＤを表す。
【図３１】融合機に係るシステム構成図である。
【図３２】本発明の実施例に該当する情報処理装置を表す。
【符号の説明】
【０１６１】
１１  情報処理装置
２１  ハードウェア
２２  ソフトウェア
２３  起動部
３１  アプリケーション
３２  プラットフォーム
１０１  融合機
１１１  ハードウェア
１１２  ソフトウェア
１１３  融合機起動部
１２１  撮像部
１２２  印刷部
１２３  その他のハードウェア
１３１  アプリケーション
１３２  プラットフォーム
１３３  アプリケーションプログラムインタフェース
１３４  エンジンインタフェース
１４１  コピーアプリ
１４２  プリンタアプリ
１４３  スキャナアプリ
１４４  ファクシミリアプリ
１４５  ネットワークファイルアプリ
１５１  コントロールサービス
１５２  システムリソースマネージャ
１５３  ハンドラ
１６１  ネットワークコントロールサービス
１６２  ファクシミリコントロールサービス
１６３  デリバリコントロールサービス
１６４  エンジンコントロールサービス
１６５  メモリコントロールサービス
１６６  オペレーションパネルコントロールサービス
１６７  サーティフィケーションコントロールサービス
１６８  ユーザディレクトリコントロールサービス
１６９  システムコントロールサービス
１７１  ファクシミリコントロールユニットハンドラ
１７２  イメージメモリハンドラ
２０１  コントローラ
２０２  オペレーションパネル
２０３  ファクシミリコントロールユニット
２１１  ＣＰＵ
２１２  ＡＳＩＣ
２２１  ＮＢ
２２２  ＳＢ
２３１  ＭＥＭ−Ｐ
２３２  ＭＥＭ−Ｃ
２３３  ＨＤＤ
２３４  メモリカードスロット
２３５  メモリカード
２４１  ＮＩＣ
２４２  ＵＳＢデバイス
２４３  ＩＥＥＥ１３９４デバイス
２４４  セントロニクスデバイス
３０１  原稿セット部
３０２  給紙部
３０３  排紙部
３１１  タッチパネル
３１２  テンキー
３１３  スタートボタン
３１４  リセットボタン
３１５  初期設定ボタン
３２１  ＡＤＦ
３２２  フラットベッド
３２３  フラットベッドカバー
４０１  ＬＤＡＰサーバ
４１１  ネットワーク
４２１  スキャナ操作画面
４２２  ファクシミリ操作画面
５０１  初期設定画面
５０２  システム初期設定画面
５０３  ＬＤＡＰサーバ登録／変更画面
５１１  システム初期設定ボタン
５１２  ＬＤＡＰサーバ登録／変更ボタン
５１３  設定ボタン
６０１  ルーペボタン
６０２  ＬＤＡＰ検索ボタン
６１１  ＬＤＡＰサーバ選択ボタン
６１２  ＬＤＡＰ検索条件入力ボタン
６２１  ＯＫボタン
６２２  ＯＫボタン
６３１  詳細ボタン
６３２  詳細閉じるボタン
７０１  ＮＴサーバ
８０１  認証設定画面
８１１  ボタン
８１２  ボタン
８１３  ボタン
８２１  エントリ生成画面
８３１  指定欄
８３２  指定欄
８３３  指定欄
９０１  ＰＣ
９１１  ＰＣ本体
９１２  ディスプレイ
９１３  キーボード
９１４  マウス
９２１  ＣＰＵ
９２２  ＲＯＭ
９２３  ＲＡＭ
９２４  ＮＶＲＡＭ
９２５  ＨＤＤ
９２６  ＭＯＤＥＭ
９２７  ＮＩＣ
９３１  オペレーティングシステム
９３２  融合機端末用アプリ
【図１】
0004703964.tif 000002
【図２】
0004703964.tif 000003
【図３】
0004703964.tif 000004
【図４】
0004703964.tif 000005
【図５】
0004703964.tif 000006
【図６】
0004703964.tif 000007
【図７】
0004703964.tif 000008
【図８】
0004703964.tif 000009
【図９】
0004703964.tif 000010
【図１０】
0004703964.tif 000011
【図１１】
0004703964.tif 000012
【図１２】
0004703964.tif 000013
【図１３】
0004703964.tif 000014
【図１４】
0004703964.tif 000015
【図１５】
0004703964.tif 000016
【図１６】
0004703964.tif 000017
【図１７】
0004703964.tif 000018
【図１８】
0004703964.tif 000019
【図１９】
0004703964.tif 000020
【図２０】
0004703964.tif 000021
【図２１】
0004703964.tif 000022
【図２２】
0004703964.tif 000023
【図２３】
0004703964.tif 000024
【図２４】
0004703964.tif 000025
【図２５】
0004703964.tif 000026
【図２６】
0004703964.tif 000027
【図２７】
0004703964.tif 000028
【図２８】
0004703964.tif 000029
【図２９】
0004703964.tif 000030
【図３０】
0004703964.tif 000031
【図３１】
0004703964.tif 000032
【図３２】
0004703964.tif 000033